Podtech/llm-jp-corpus-v4-ja_patent huggingface dataset:
(57)【要約】【課題】本発明はボール盤や電動ドリルに装着させ、繊維が細かく走る竹材に正確かつ竹表皮にバリを出さずに鋭く穿孔するための竹材用小孔ドリルを提供する。【解決手段】ドリル本体の先端中心部に先三角形のセンター刃を設けるドリルにおいて、ドリル本体に４条のスパイラル状リードを設け、その先端に２番刃２枚及びそれより突出した１番刃２枚の合計４枚の切れ刃を設けることを特徴とする竹材用小孔ドリル。【選択図】図１
2007030491.tif 000002
【特許請求の範囲】
【請求項１】
ドリル本体の先端中心部に先三角形のセンター刃を設けるドリルにおいて、ドリル本体に４条のスパイラル状リードを設け、その先端に２番刃２枚及びそれより突出した１番刃２枚の合計４枚の切れ刃を設けたことを特徴とする竹材用小孔ドリル。
【発明の詳細な説明】
【技術分野】
【０００１】  本発明はボール盤や電動ドリルに装着させ、繊維が細かく走る竹材に正確かつ竹表皮にバリを出さずに鋭く穿孔するための竹材用小孔ドリルに関するものである。
【背景技術】
【０００２】  従来の木工用ドリルは先ネジでセンターを押し、ケガキ刃で外周を切り取り掬い刃で孔を貫通させる方法が一般的であり、刃の形状はケガキ刃と掬い刃を合せて２枚ないし３枚が通常であった。
【発明の開示】
【発明が解決しようとする課題】
【０００３】  そのために次のような問題点があった。
（イ）従来の木工用小孔ドリルでは、広く汎用性を求める必要性から有効刃長の形状を長くする必要があった。
（ロ）竹の肉厚は最大でも２０ｍｍ以下なので、従来の木工用小孔ドリルでは、長すぎる有効刃長のためにブレなどの問題が起きていた。
（ハ）その結果、バリやささくれなど竹の表皮に傷がつきやすく、竹材に対して迅速かつ正確に小孔を真っ直ぐ明けることに支障が多かった。
本発明は、以上の問題点を解決するためになされたものである。
【課題を解決するための手段】
【０００４】  本発明は、上記の目的を達成させるためにシャンクに連接するドリル本体の先端中心部に先三角形のセンター刃を設け、４条のスパイラル状リードの先端部に２番刃２枚を設けるとともに、４条のスパイラル状リードの先端外周部２番刃よりもセンター刃の方向に突出している１番刃２枚を設ける。作業者がセンター刃で位置決めし、回転しているドリルを押し込むことにより１番刃で竹の表皮の固い部分の溝入れ切り取りを行う。さらに竹肉質部分には１番刃の２枚刃と２番刃の２枚刃が複合作用して４枚の刃が同時に切削穿孔が進行する。４枚の刃がバランスの取れた状態で穿孔が進行することにより、切削抵抗によるドリル本体の振れや穿孔方向の狂いを回避出来るようになる。切削抵抗の主分力は切れ刃にかかってくるため、２枚刃或いは３枚刃に比較して４枚の切れ刃を有することにより、きれいな切削面を得ることが出来る。以上を特徴とする竹材用小孔ドリルである。
【発明の効果】
【０００５】  請求項１に記載した本発明竹材用小孔ドリルによれば、有効刃長を適正な長さにしたことによって、１番刃及び２番刃の合計４枚の刃がドリル本体先端部分にかかる切削抵抗に対してバランス良く作用させ、穿孔途中のひっかかりや横ぶれを生じさせない。そのため竹の表皮を傷つけることなく、小孔を正確に真っ直ぐ、きれいに明けることが出来る。これにより竹を素材とした日本の伝統楽器類、尺八、篠笛、能管、龍笛、篳篥、笙などの、美的外観に加えて楽器が最も重要とする正しい音程の調律を追求する目的にかなう効果を得ることを容易にした。
【発明を実施するための最良の形態】
【０００６】  以下、本発明の形態を図面に基づいて説明する。
図１は竹材用小孔ドリルの正面図。図２は底面図。図３は図１に示す竹材用小孔ドリルの先端部分の斜視図である。
（イ）シャンク（１）に連接するドリル本体には主体部先端中心部に先三角形のセンター刃を設け、４条のスパイラル状リード（６）の先端部に２番刃２枚、（５ａ）と（５ｂ）を設ける。
（ロ）４条のスパイラル状リード（６）先端外周部に２番刃（５ａ）よりもセンター刃（３）方向に刃先の突出した１番刃２枚、（４ａ）と（４ｂ）を設ける。
（ハ）図１、図２及び図３に示すようにドリル本体（２）の中心に先三角形のセンター刃（３）を設け、４条のスパイラル状リード（６）を設けることにより、リードとリードの間に切粉の排出路（７）が形成される。
（ニ）スパイラル状リード（６）の先端外周部であり回転方向の先端１番刃（４ａ）、（４ｂ）の外方部には鋭利な切り先（８ａ）、（８ｂ）、（８ｃ）、（８ｄ）を設ける。
【実施例】
【０００７】  上記構成による本発明の竹材用小孔ドリルの穿孔作業を行うには穿孔位置の中心に先三角形のセンター刃（３）の先端を押し付け、ドリル本体（２）を回転させ押圧をかけることによってドリル本体（２）が竹材に押し込まれていく。孔の中心を決めたセンター刃（３）が竹材にもぐりこむと、次は１番刃２枚の（４ａ）、（４ｂ）が竹材の表皮の固い部分の溝入れをし、円形の切り込みが  形成される。続いて押し込むことにより、１番刃（４ａ）の切削作用に加えて２番刃（５ａ）、（５ｂ）が竹内部に入っていく。ここでは１番刃（４ａ）、（４ｂ）と２番刃（５ａ）、（５ｂ）の相乗作用により切削抵抗に勝る穿孔力を発揮し、穿孔が進行する。これによって削りだされた切りくずは排出路（７）を伝わって送り出され竹材の表皮の部分から外部に排出される。以上の説明のように１番刃２枚（４ａ）、（４ｂ）、２番刃２枚（５ａ）、（５ｂ）の合計４枚の強力な切削穿孔力が切削抵抗に対してバランスよく作用するためにひっかかりや振れを発生させることなく穿孔が進行する。１番刃（４ａ）、（４ｂ）が先行穿孔した後に２番刃（５ａ）、（５ｂ）が続くことによって穿孔途中でのひっかかりや横振れを起こさないために内側部分が非常にきれいに仕上がり、後処理の必要が生じない。このように従来のような２枚や３枚の刃の木工用ドリルに比較して、本発明の竹材用小孔ドリルは、４枚刃の切れ刃の相乗作用により切削抵抗が非常に軽くなることで、実に正確かつきれいで、真っ直ぐな小孔を明けることが出来る。
【産業上の利用可能性】
【０００８】  本発明は、竹を素材とした日本の伝統楽器類、尺八、篠笛、能管、龍笛、篳篥、笙や竹工芸品などの製作過程における従来の問題点を解決した。竹の表皮を傷つけることなく、迅速かつ正確に小孔を真っ直ぐ明けることを可能にしたことより、伝統的竹工芸品の品質向上を容易にし、楽器に関しては美的外観のみならず最も重要視しなけれならない正しい音程の調律に費やす時間短縮に大いなる貢献が認められた。
【図面の簡単な説明】
【０００９】
【図１】    本発明の正面図
【図２】    本発明の底面図
【図３】    本発明の先端部分の拡大斜視図
【符号の説明】
【００１０】  １          シャンク
２          ドリル本体
３          センター刃
４ａ、４ｂ  １番刃
５ａ、５ｂ  ２番刃
６          スパイラル状リード
７          排出路
８ａ、８ｂ、８ｃ、８ｄ  切っ先
【図１】
2007030491.tif 000003
【図２】
2007030491.tif 000004
【図３】
2007030491.tif 000005
(57)【要約】【課題】  文字学習用教材として「学習者の名前」を利用して一文字ずつ文字を学習させるものをつくること。【解決手段】  文字学習教材（１）に、図柄、写真、イメージ等（２）と共に読者の名前の文字（３）を一文字ずつ表示する。  学習者は、自分の名前を一文字ずつ見ることで、一文字ずつ文字を学習できるのである。【選択図】      図  １
2007030493.tif 000002
【特許請求の範囲】
【請求項１】
読者の名前の文字を一文字ずつ表示する文字学習教材。
【発明の詳細な説明】
【技術分野】
【０００１】  この発明は、教材の中に読者の名前を一文字ずつ表示し、読者の文字に対する興味を深めて向学意欲を高め、教材の学習機能を向上させる発明に関するものである。
【背景技術】
【０００２】  従来、文字学習用教材として「学習者の名前」を利用して「一文字ずつ文字を学習させる」ものは存在しない。【０００３】  これまでの発明、考案、出願としては、
（イ）絵本として、あらかじめ用意されたスペースに読者の顔等の写真、絵画を貼る、読者の名前を文中に印刷するなど、絵本の中に読者を物語の主人公として登場させようとする試みはあった（例えば、特許文献１、特許文献２。）。
（ロ）絵本の文章中の空欄部に読者の氏名をシールで貼ることにより読者を物語り中に登場させようとする考案もあった（例えば、特許文献３参照。）。
【特許文献１】  第３０６２０５１号  公報
【特許文献２】  特開平６−１３５１７９号  公報
【特許文献３】  実開平５−９３４９９号  公報
【発明の開示】
【発明が解決しようとする課題】
【０００４】  これらは次のような欠点があった。
（イ）従来、文字学習用教材として「学習者の名前」を利用して一文字ずつ文字を学習させるものは存在しない。
（ロ）絵本の文章の中に読者の名前を入れたものは、文字そのものを学習させるためのものではなく、あくまでも登場人物の一人として名前を登場させるだけであった。【０００５】  本発明は、これらの欠点を解決するために発明されたものである。
【課題を解決するための手段】
【０００６】  前記課題を解決するため、文字学習教材（１）に、図柄、写真、イメージ等（２）と共に読者の名前の文字（３）を一文字ずつ表示する。【０００７】  学習者は、自分の名前を一文字ずつ見ることで、一文字ずつ文字を学習できるのである。【０００８】  本発明は、以上のような構成よりなる文字学習教材である。
【発明の効果】
【０００９】  以上説明したようにこの発明により次のような効果を奏する。
（イ）学習者は「自分の名前の文字」で文字を学ぶことができる。
（ロ）学習者にとって、無味乾燥な順番で文字を覚える必要がなく、興味の対象として最も意味ある文字を最初に、文字学習を開始できる。
（ハ）特に学習者が幼少者で初めて文字を学ぶ場合、初めから文字を一度に沢山覚えることはできない。その際、一文字ずつ数を絞った意味のある文字を提供することにより学習効果が高くなる。
（ニ）上記により学習者に文字に対する興味、向学意欲の向上がうまれる。
（ホ）自分の名前を使用した文字学習教材という「暖かみのある教材」を学習者に提供する機会がうまれる。
（ヘ）自分の名前による文字学習教材という今までにない贈り物をする機会が学習者の周囲にもうまれる。
【発明の実施するための最良の形態】
【００１０】  以下、本発明の実施の形態について説明する。
【００１１】  図１は、この発明の実施の形態を示す平面図である。この文字学習教材（１）に、図柄、もしくは、写真、イメージ等（２）とともに個人名の一文字（３）を表示する。
【００１２】  文字学習教材の形式は、本、絵本、帳面、デジタルメディアなど様々な形態がある。
【００１３】  図１から図４は、一例の名前をひらがなにて展開した場合の文字の連続を表し、図５が学習者の名前が入った一例である。
【００１４】  図６は、文字と図柄が組み合わされた部分の図である。アルファベットと図柄、漢字と図柄、片仮名と図柄のそれぞれの例である。
【００１５】  上記の文字以外にも、様々な国の文字と図柄との組み合わせもある。
【００１６】  上記の図柄と文字の組み合わせ以外にも、文字のみの場合もある。
【００１７】  本発明は以上のような構造で、文字学習者が自分の名前から学習をすることで文字に対する興味を深めることができる。
【図面の簡単な説明】
【００１８】
【図１】  本発明の実施例を示す平面図である。
【図２】  本発明の他の実施例を示す平面図である。
【図３】  本発明のさらに他の実施例を示す平面図である。
【図４】  本発明のまたさらに他の実施例を示す平面図である。
【図５】  本発明のまたまたさらに他の実施例を示す平面図である。
【図６】  本発明の別の実施例を示す部分図である。
【符号の説明】
【００１９】  １  文字学習教材
２  図柄、写真、イメージ等
３  学習者の名前の一文字
４  文章
５  学習者の名前
６  学習者の名前英文字一文字
７  学習者の名前漢字一文字
８  学習者の名前片仮名一文字
【図１】
2007030493.tif 000003
【図２】
2007030493.tif 000004
【図３】
2007030493.tif 000005
【図４】
2007030493.tif 000006
【図５】
2007030493.tif 000007
【図６】
2007030493.tif 000008
(57)【要約】【課題】  書類等用紙の角部をしっかりと挟み、ずれたり、安易に外れたりしないで、めくり返し易く、嵩張らず、着脱が容易である利点を有するクリップを提供する。【解決手段】表面押さえ部（１）の長手方向の両端部から、用紙角部の側面を挟み込むように折り曲げた形状の、左裏面押さえ部（２）と右裏面押さえ部（３）を設け、各々の端部の一部が表面押さえ部（１）の用紙中心部方向縁（５）より張り出すようにしてバネの力を付けたことを特徴とする。【選択図】      図１
2007030492.tif 000002
【特許請求の範囲】
【請求項１】
表面押さえ部（１）の両端部から、用紙角部の側面を挟み込むように折り曲げた形状の、左裏面押さえ部（２）と右裏面押さえ部（３）を設け、各々の端部の一部が表面押さえ部（１）の用紙中心部側縁（５）より張り出すようにしてバネの力を付けたクリップ。
【発明の詳細な説明】
【発明の詳細な説明】
【技術分野】
【０００１】  本発明は、書類等用紙の角部を挟んで綴じるクリップに関する。
【背景技術】
【０００２】  従来の角部に用いる物は、二等辺三角形の形状を２つ組み合わせてバネの力で挟んで綴じるようにしたクリップが公知であった。しかしながら、従来のクリップはバネ、つまみ等の部分が書類等用紙以上に飛び出たり、はみ出したりして嵩張るという不便が存在した。
【発明が解決しようとする課題】
【０００３】  本発明は、書類等用紙の角部を挟み易く、用紙が左右にずれず、めくりあげた時には外れ難く、しっかりと保持でき、書類等用紙に容易に着脱できる利点のあるクリップの提供を目的とする。
【課題を解決するための手段】
【０００４】  上記目的を達成する為に、本発明のクリップにおいては、用紙の角部付近の表面を連続した部材の表面押さえ部（１）で押え、その両端部に用紙の側面を挟み込むように折り曲げた形状の、左裏面押さえ部（２）と右裏面押さえ部（３）を設け、各々の端部の一部を用紙中心部方向縁（５）より張り出すようにしてバネの力を付ける。
【発明を実施するための最良の形態】
【０００５】  以下、本発明の実施例について説明する。
連続した部材の表面押さえ部（１）の長手方向の両端部に、左裏面押さえ部（２）と、右裏面押さえ部（３）を設け各々の端部の一部を用紙中心部方向縁（５）より張り出すように設け、折り曲げ形状にしてバネの力を付ける。
本発明は、以上のような構造でこれを使用する時は、表面押さえ部（１）の用紙角部方向縁（４）を上にして用紙面と垂直に位置し、左裏面押さえ部（２）端と、右裏面押さえ部（３）端の間に用紙の角部を入れる。次に、表面押さえ部（１）を押し倒して用紙面と平行に向きを変え、左右の折り曲げ形状部（６）を交互にひとさし指で押して挟み込む。外すには、折り曲げ形状部（６）のどちらか片方を摘み、用紙の角部方向に引くと容易に外すことが出来る。
【発明の効果】
【０００６】これには次のような効果がある。
（イ）書類等用紙の２か所の側面を挟み込むので左右にずれにくい。
（ロ）ひとさし指の力だけでコピー用紙１５〜２０枚程度綴じられる。
（ハ）平らな形状なので積み重ねても嵩張らない。
（ニ）用紙と平行の引き抜き力で外れるので、めくって裏側に折り返した時に確実に保持し外れ難い。
（ホ）単純な構造で経済性にすぐれている。
【図面の簡単な説明】
【０００７】
【図１】本発明の平面図である。
【図２】本発明の正面図である。
【図３】本発明の斜視図である。
【符号の説明】
【０００８】１  表面押さえ部
２  左裏面押さえ部
３  右裏面押さえ部
４  用紙角部方向縁
５  用紙中心部方向縁
６  折り曲げ形状部
【図１】
2007030492.tif 000003
【図２】
2007030492.tif 000004
【図３】
2007030492.tif 000005
(57)【要約】【課題】  スーパーなどで商品を買い物籠容器に投入する際、最初に投入した商品の上に後から積み重なる商品の重みで下の商品が圧迫され、鮮度が損なわれたり破損したりすることのないよう、簡便に使用可能でかつ不要な際には収納される棚部材、およびこの使用状態と収納状態の切り替えを実現する籠容器への装着機構を提供する。【解決手段】プラスチック等の弾力性のある素材を使用し、その両側を折り曲げることで上向きにも下向きにもコの字型をなす棚部材。この部材の両端を籠容器の内側に装着し、かつ必要に応じて使用状態と収納状態の切り替えを簡便に実現するための蝶番機構。これらの組み合わせにより、上から投入される商品の重量が棚部材の下に置かれた商品に直接加わることを防止するとともに、不要時にはワンタッチで収納することができることを特徴とする。【選択図】  図２
2007030985.tif 000002
【特許請求の範囲】
【請求項１】
底面形状が長方形をなす籠容器の中に中段を形成するための棚部材であって、籠容器底面の短辺の長さより短い長さと籠容器底面の長辺の長さの一部分の長さに相当する幅を有する棚板部、および前記棚板部の長さ方向の両端に折り曲げ可能に連結された脚板部とを備えてなり、前記脚板部の外側短辺において、前記籠容器の内壁途中部分に回動可能に連結することを特徴とする棚部材。
【請求項２】
前記棚部材を回動可能に連結するために、長辺側内壁の途中部分に蝶番機構を備えることを特徴とする籠容器。
【発明の詳細な説明】
【技術分野】
【０００１】  本発明は、買い物時に商品を投入する籠容器に装着する棚部材の形状および本棚部材の籠容器への装着機構に関するものである。
【背景技術】
【０００２】  従来、食品などを買い物する際に使用する買い物籠容器には大きな一つの空間しか無く、籠容器の中に商品を投入していく際に、最初に投入した商品がその上から積み重なる商品の重さによる劣化破損を防止するため、その都度商品の上下を入れ替えたり分別する必要があった。【０００３】  これまで、籠容器の内外に棚部材や別の籠容器を装着する考案は見られるが、いずれも籠容器の中の商品入れ替えや分別が必要ないときの収納に課題があった。
【特許文献１】特許出願２００２−１５３１７
【特許文献２】特許出願２００３−１８０６１２
【特許文献３】特許出願２００３−１９４０１９
【特許文献４】特許出願２００３−１９９１４８
【発明の開示】
【発明が解決しようとする課題】
【０００４】  これまでスーパーなどで商品を購入し買い物籠容器に投入していくと、商品の上に次々に別の商品が積み重なっていくため、買い物の後半には最初に投入した商品が籠容器の一番下になり、積み重なったものの重みで下の商品が圧迫され、鮮度が損なわれて劣化したり破損することがあった。
籠容器の内外に引っ掛け式の棚部材や別の籠容器を装着するという手段は考えられていたものの、折り畳んだり収納したりすることができないため、商品入れ替えや分別の必要がないときにはかえって邪魔になるという欠点があった。
本発明はこれら従来の欠点を払拭するものである。
【課題を解決するための手段】
【０００５】  プラスチック等の弾力性のある素材を使用し、破線部分（１）を支点に両側脚版部（２）を折り曲げることで上向きにも下向きにもコの字型をなす棚部材。
また断面を示す図３、図４のごとく当該棚部材を上下に折り曲げ可能とするよう、両端部（３）を籠容器の内側に蝶番により装着する機構。
【発明の効果】
【０００６】  買い物で籠容器を使用する際には（４）のように、本発明になる本棚部材棚板部をワンタッチで引き上げることにより棚形状を形成し、圧迫されては困る商品を棚板部の上側もしくは下側に投入して圧迫から保護することができる。
また必要のないときには、本棚部材棚板部をワンタッチで押し下げることによって、邪魔にならないよう（５）のように籠容器の底面部に収納することができる。
本発明は、買い物客が上記課題のような商品の劣化破損等を心配することなく、買い物を楽しむことを可能とする手段と不要時の収納性の両立を簡便安価に提供するものである。
【発明を実施するための最良の形態】
【０００７】  本発明の棚部材は籠容器とともに、プラスチックのような弾力性のある素材を使用することで、棚部材の撓みおよび籠容器の広がりが許容されることによって実現可能としたことを特徴としており、木材等の硬質の材料ではなし得ない機構である。【０００８】  図１の破線部（１）は、本発明棚部材のコの字型形成をスムーズにさせるために、折り曲げ部の部材厚さを薄く調整する部分を示したものである。【０００９】  棚部材を格子状にすることにより、棚部材の下側に投入した商品を覗き込むことなく視認することができる。【００１０】  籠容器長辺側の内壁途中部分に蝶番機構を設けることで、棚としての使用形態維持および収納状態への切換えを簡便に行うことができる。
【図面の簡単な説明】
【００１１】
【図１】  本発明の棚部材
【図２】  籠容器に本発明の棚部材を装着した状態の外観図
【図３】  籠容器に装着された本発明棚部材の使用時と収納時の状態を示した断面図
【図４】  籠容器に装着された本発明棚部材の使用時から収納時への可動状態を示した断面図
【図５】  本発明の棚部材蝶番部形状の例
【符号の説明】
【００１２】    １．棚部材折り曲げ支点部分
２．コの字型を形成するための脚版部
３．棚部材両端部
４．棚部材使用状態
５．棚部材収納状態
【図１】
2007030985.tif 000003
【図２】
2007030985.tif 000004
【図３】
2007030985.tif 000005
【図４】
2007030985.tif 000006
【図５】
2007030985.tif 000007
(57)【要約】【課題】液体洗剤のつめかえ用の袋を本体のポンプボトルに詰め替えた後に、つめかえ用の袋に液体洗剤が残ってしまい取り出すのに手間がかかっていたのを解消するために、磁石付きのハサミを提供する。【解決手段】本発明は、ハサミのように開閉可能で本体Ｉ１と本体ＩＩ２の閉じる両方の面に板ゴム磁石３が付いている事で、つめかえ用の袋４を装着が簡単にでき固定される。手で持つ場所には、スベリ止め５とミゾ６が付いていて、スベリ止め５は指の置き場所をはっきりさせる事で、つめかえ用の袋４の装着した状態で下向きに引く際スムーズに引く事が可能である。ミゾ６は本発明の使用中に大きな力がかかっていた場所なので力を逃がすために付いている。これらの解決手段を使用することで、つめかえ用の袋４に残った液体洗剤を簡単にとりだせるようにする。【選択図】    図１
2007030983.tif 000002
【特許請求の範囲】
【請求項１】
本発明は、カニのハサミのように開閉でき、閉まる両方の面に磁石がついている事で、つめかえ用の袋を挟んで磁力で袋に残った液体洗剤を取り出す形にたいして請求の範囲です。
【発明の詳細な説明】
【技術分野】
【０００１】本発明は、シャンプー等の液体洗剤のつめかえ用の袋から直接、本体のポンプボトルに詰め替えた後に液体洗剤がきれいに取り出すことができずに残るのを解決するため、本発明はカニのハサミのように上下に開閉できるようになっており、閉じる側の両方の面に板ゴム磁石がついており簡単につめかえ用の袋を挟むことができ、つめかえ用の袋を挟んだ状態で下向きに引くことで、残った液体洗剤きれいに取り出すことができるようにしたものである。
【背景技術】
【０００２】従来は、液体洗剤のつめかえ用の袋から直接、本体のポンプボトルに入れるため液体洗剤がつめかえ用の袋に残ってしまう。その残った液体洗剤を簡単に取り出す道具がなかった。
【発明の開示】
【発明が解決しようとする課題】
【０００３】シャンプー等の液体洗剤のつめかえ用の袋を直接、本体のポンプボトルにいれるため、詰め替えた後につめかえ用の袋に液体洗剤がきれいにだすことができずに残ってしまうという難点があった。本発明は、この課題を解消するためになされたものである。
【課題を解決するための手段】
【０００４】本体Ｉ１と本体ＩＩ２をカニのハサミのように開閉できるようにしてあり本体Ｉ１と本体ＩＩ２の接する両方の面に板ゴム磁石３をつけることで、つめかえ用の袋４を本発明に取り付ける際にも簡単に挟めることができ挟めた際にも磁力できっちり固定できるようにした。
また手で持つ場所には、本体Ｉ１と本体ＩＩ２の両方にスベリ止め５とミゾ６をつけることで、スベリ止め５は指の置き場所をはっきりさせる事で、つめかえ用の袋４を本発明で挟めて、使用している状態で下向きに引く際にスムーズに使用できる。また板ゴム磁石３は、スベリ止め５の手前までついている。
本発明を使用している際に大きな力がかかり使用しずらくしていた場所にミゾ６をつけることで力を逃がした。ミゾ６は、本体Ｉ１と本体ＩＩ２についている。
またハサミの支点にあたる所は本体Ｉ１と本体ＩＩ２の中央を抜き固定具７をいれる事で本体Ｉ１、本体ＩＩ２が開閉可能になる。開く角度は両方で最高１８０度、片側が９０度である。
また本体Ｉ１と本体ＩＩ２が開く際に角が直角にぶつかって開きにくいので本体Ｉ１と本体ＩＩ２が接している角を削ることで開きやすくした。
【発明の効果】
【０００５】シャンプー等の液体洗剤のつめかえ用の袋４を本体のポンプボトルに詰め替えた後につめかえ用の袋４に残った液体洗剤を本発明は、つめかえ用の袋４を挟めることで簡単に取り付けることができ、またスベリ止め５の位置に指を置いて、つめかえ用の袋４を持ち本発明を挟めた状態で、下向きに引くことでスムーズにつめかえ用の袋４のつめかえ口から残った液体洗剤を簡単に取り出す事が可能である。以下、本発明の実施の形態について説明する。
（イ）、本発明は、カニのハサミのように本体Ｉ１と本体ＩＩ２が上下に開閉でき本体Ｉ１と本体ＩＩ２の接する両面に板ゴム磁石３がついている。板ゴム磁石３はスベリ止め５の手前までついている。
（ロ）、持ち手部分には、スベリ止め５とミゾ６があり、スベリ止め５は指の置き場所を示し、ミゾ６は本体Ｉ１と本体ＩＩ２が閉じている時は穴になる。
（ハ）、ハサミの支点になる部分は本体Ｉ１と本体ＩＩ２の中央を抜き固定具７をいれる事で本体Ｉ１と本体ＩＩ２が開閉可能に、両方が開くと最高で１８０度に片側だけで９０度に開く。
（二）、ハサミの支点になる本体Ｉ１と本体ＩＩ２の部分は開閉の際、角がぶつかり開きにくいので本体Ｉ１と本体ＩＩ２の接する角は削れている。
【実施例１】
【０００６】シャンプー等の液体洗剤のつめかえ用の袋４を本体のポンプボトルに詰め替えた後につめかえ用の袋４に残った液体洗剤を取り出す際に使用する。
本発明は、カニのハサミのように開閉できるようになっており本体Ｉ１と本体ＩＩ２の接する両方の面に板ゴム磁石３がついている。
持ち手部分には、スベリ止め５とミゾ６がついていて、スベリ止め５は本体Ｉ１と本体ＩＩ２の表と裏について、板ゴム磁石３はスベリ止め５の手前まである。ミゾ６は後ろにあり、本発明を使用している際に力がかかる部分なのでミゾ６にして力を逃がしている。閉じている時には穴になる。本体Ｉ１と本体ＩＩ２の支点の部分は中央を抜いて固定具７をいれることで本体Ｉ１と本体ＩＩ２が開閉可能になり、また本体Ｉ１と本体ＩＩ２の開閉をスムーズにするため本体どうしが接している角は削れている。
本発明の使用中は、本体Ｉ１本体ＩＩ２の板ゴム磁石３がついている所につめかえ用の袋４を挟みスベリ止め５に親指をのせる形で本発明を持ちもう一方の手でつめかえ用の袋４を持った状態で下向きに引くことでつめかえ用の袋４に残った液体洗剤をとることができる。
【図面の簡単な説明】
【０００７】
【図１】（閉じている図）
【図２】（開いた図）
【図３】（本発明の使用状態を示す断面図）本体ＩＩ２は断面図のためないが、本当は閉じている図のようになり、つめかえ用の袋４が挟んだ形になる。引く際は上の矢印の方向に引く。
【符号の説明】
【０００８】  １  本体Ｉ
２  本体ＩＩ
３  板ゴム磁石
４  つめかえ用の袋
５  スベリ止め
６  ミゾ
７  固定具
【図１】
2007030983.tif 000003
【図２】
2007030983.tif 000004
【図３】
2007030983.tif 000005
(57)【要約】【課題】  カードの収納状態を確実に維持できると共に蓋部の装飾箇所を隠蔽しないカード入れを提供する。【解決手段】  左右に折返し用の襠部を有しカードを後方より支持する背面部と、背面部の下端に延設され襠部側に折り重なる表面部と、背面部の上端に延設され表面部に折り重なる蓋部とを備え、蓋部に装飾を施したカード入れにおいて、蓋部の装飾を縫目で形成し、蓋部の折畳み時に縫目と対向する表面部に面ファスナーを配置した。なお面ファスナーのフックをマッシュルームタイプとし、面ファスナーのフックに接合する縫目部分をウーリ糸で構成するとよい。【選択図】          図２
2007030966.tif 000002
【特許請求の範囲】
【請求項１】
左右に折返し用の襠部を有しカードを後方より支持する背面部と、背面部の下端に延設され襠部側に折り重なる表面部と、背面部の上端に延設され表面部に折り重なる蓋部とを備え、蓋部に装飾を施したカード入れにおいて、
蓋部の装飾を縫目で形成し、蓋部の折畳み時に縫目と対向する表面部に面ファスナーを配置したことを特徴とするカード入れ。
【請求項２】
面ファスナーのフックがマッシュルームタイプとなっており、面ファスナーのフックに接合する縫目部分がウーリ糸で構成されている請求項１記載のカード入れ。
【発明の詳細な説明】
【技術分野】
【０００１】
本発明は、名刺や各種カードを収納して保持することができるカード入れに関する。
【背景技術】
【０００２】
従来のカード入れとしては、左右に折返し用の襠部を有しカードを後方より支持する背面部と、背面部の下端に延設されカードの下部を支持する表面部と、背面部の上端に延設され表面部に折り重なる蓋部とを備え、蓋部に装飾を施したものが知られている（例えば、特許文献１を参照。）。
【０００３】
【特許文献１】実開平５−４３９１８号公報(第３頁、第３−４図)
【発明の開示】
【発明が解決しようとする課題】
【０００４】
ところが従来のカード入れにおいては、表面部に設けられた舌状片により蓋部が挟み止めされているので、舌状片に触れてしまうだけで蓋部が表面部より離間し、収納されているカードが不意に飛び出てしまうという問題があった。特に装飾紙片が貼着されることで蓋部の端縁が分厚くなると舌状片のせり出しが顕著になり、上記問題の発生が高くなっていた。また蓋部の端縁に装飾紙片を貼着しても装飾紙片の一部が舌状片で隠れていた。
従って、本発明の課題は、カードの収納状態を確実に維持できると共に蓋部の装飾箇所を隠蔽しないカード入れを提供することを目的としている。
【課題を解決するための手段】
【０００５】
本発明は、上記目的を達成するために、左右に折返し用の襠部を有しカードを後方より支持する背面部と、背面部の下端に延設され襠部側に折り重なる表面部と、背面部の上端に延設され表面部に折り重なる蓋部とを備え、蓋部に装飾を施したカード入れにおいて、蓋部の装飾を縫目で形成し、蓋部の折畳み時に縫目と対向する表面部に面ファスナーを配置したことを特徴とする。
【０００６】
なお面ファスナーのフックをマッシュルームタイプとし、面ファスナーのフックに接合する縫目部分をウーリ糸で構成するのが望ましい。
【発明の効果】
【０００７】
本発明によれば、蓋部の装飾として縫目を採用すると共に該縫目をカードの収納保持手段の一部に利用しているので、表面部の一部を蓋部より迫り出させる必要がなくなり、その結果、収納されているカードが不意に飛び出すことがない。なお面ファスナーのフックをマッシュルームタイプとし、面ファスナーのフックに接合する縫目部分をウーリ糸で構成すると、蓋部と表面部の間で十分な接合強度を得ることができる。また蓋部の端縁に装飾を施しても隠れることはない。
【発明を実施するための最良の形態】
【０００８】
以下、本発明の実施の形態を図面を基づいて説明する。カード入れ１は、名刺より若干大きなサイズとなる背面部２を有している。背面部２は、図１に示されるように、左右に折返し用の襠部３，３を有し、カードは背面部２によって後方より支持される。背面部２の下端には表面部４が延設されている。表面部４は、図２に示されるように、襠部３，３側に折り重なるように折り返されており、カードの下部は表面部４で支持されることとなる。背面部２の上端には蓋部５が延設されている。蓋部５を襠部３，３側に折り返すと蓋部５は表面部４上に折り重なる。なお背面部２と蓋部５の境目となる折り目２ａに補強用テープ（図示せず）を施しておくと該部分の耐久性を向上させることができる。
【０００９】
蓋部５の端縁には装飾用の縫目６が形成されている。縫目６は蓋部５の表裏に渡り糸６ａ，６ｂを構成しており、蓋部５裏側に配置される渡り糸６ａにはウーリ糸が用いられている。蓋部５表側に配置される渡り糸６ｂに関しては所定長さで次々と変色させておくと装飾性が出てきて見栄えが良くなる。なお蓋部５の折畳み時に縫目６と対向する表面部４には、面ファスナー７が配置されている。面ファスナー７はマッシュルームタイプのフックを有し、該フックは、図３に示されるような蓋部５の折畳み時に縫目６の渡り糸６ａ（ウーリ糸）と接合することとなる。面ファスナー７と縫目６の渡り糸６ａとによる接合は手操作により解除できる程度の強度となっており、解除後においても蓋部５を表面部４側に折畳むことで再度接合が可能となっている。
【００１０】
本実施の形態では、縫目が蓋部の端縁に形成されていたが、これに限定されるわけでなく、縫目を蓋部の中途に形成させても良い。その際、面ファスナーを縫目と対向するように表面部上で配置変更させておく必要がある。また本実施の形態では、蓋部に形成する縫目としてＪＩＳ  Ｌ  ０１２０に示されたステッチ形式の表示記号６０２が用いられていたが、これに限定されるわけでなく、表裏に渡り糸を有するような縫目であればよい。表裏に渡り糸を有する縫目としては、ステッチ形式の表示記号５０４，５１４，６０５や６０７等がある。なお本実施の形態では詳述していないが、カード入れの素材としては紙製に限定されるだけでなく、合成樹脂製のシートであってもよい。
【図面の簡単な説明】
【００１１】
【図１】本発明に係るカード入れの構造を説明した展開図である。
【図２】同カード入れの概要を示した斜視図である。
【図３】同カード入れの使用例を説明した斜視図である。
【符号の説明】
【００１２】
１        カード入れ
２        背面部
３，３    襠部
４        表面部
５        蓋部
６        縫目
７        面ファスナー
【図１】
2007030966.tif 000003
【図２】
2007030966.tif 000004
【図３】
2007030966.tif 000005
(57)【要約】      （修正有）【課題】  ボス部の根元を円弧曲線として蓋体裏面に接続するとともに、複数個の放射状に延びる補強リブを設けることにより補強された化粧料容器その他の容器体に用いる蓋体等のボス部を提供すること。【解決手段】  蓋体１等のボス部２として、蓋体１等の裏面に設けられたボス部２であって、ボス部２は、突出部８と、突出部８から放射状に延びる補強リブ９とからなり、複数のボス部２が蓋体１の周縁に沿って配設されていることを特徴とする。【選択図】  図１
2007030970.tif 000002
【特許請求の範囲】
【請求項１】
蓋体等の裏面に設けられたボス部であって、
ボス部は、突出部と、該突出部から放射状に延びる補強リブとからなり、複数のボス部が蓋体の周縁に沿って配設されていることを特徴とする蓋体等のボス部。
【請求項２】
蓋体の裏面とボス部の交差部が円弧曲線で接続されていることを特徴とする請求項１記載の蓋体等のボス部。
【請求項３】
蓋体が、中央を隆起する湾曲面によって形成され、
補強リブの表面が、蓋体周縁の下面より上方に位置するように設けられていることを特徴とする請求項１、または２記載の蓋体等のボス部。
【発明の詳細な説明】
【技術分野】
【０００１】
本発明は、化粧料容器、その他の容器体における蓋体等のボス部の形状に関するものである。
【背景技術】
【０００２】
合成樹脂製の蓋体にボス部を形成することは、従来より知られており（例えば、特許文献１参照）、また、ボス部の根元付近を補強するため、基板とボスの根元との交差部を円弧曲線の形状としたボス部の形状構造も、従来より知られている（例えば、特許文献２参照）。
【特許文献１】実開昭６１−１４５６２０号公報
【特許文献２】実開平３−４１９８８号公報
【発明の開示】
【発明が解決しようとする課題】
【０００３】
しかしながら、上記特許文献１，２記載のボス部は、いずれも合成樹脂を用いており、ボス部根元部の強度が十分でなかった。
【０００４】
本発明は、上記問題を解決することを課題として、ボス部の根元を円弧曲線として蓋体裏面に接続するとともに、複数個の放射状に延びる補強リブを設けることにより補強された化粧料容器その他の容器体に用いる蓋体等のボス部を提供することを目的とする。
【課題を解決するための手段】
【０００５】
本発明は、上記の課題を解決するため、蓋体等のボス部として、蓋体等の裏面に設けられたボス部であって、ボス部は、突出部と、該突出部から放射状に延びる補強リブとからなり、複数のボス部が蓋体の周縁に沿って配設されていることを特徴とする構成を採用する。
【０００６】
蓋体とボス部の接続部として、蓋体の裏面とボス部の交差部が円弧曲線で接続されていることを特徴とする構成を採用し、また、補強部の位置として、蓋体が、中央を隆起する湾曲面によって形成され、補強リブの表面が、蓋体周縁の下面より上方に位置するように設けられていることを特徴とする構成を採用する。
【発明の効果】
【０００７】
本発明の蓋体等のボス部は、ボス部の根元を円弧曲線として蓋体裏面に接続するとともに、複数個の補強リブを設けているので、ボス部の補強が十分になり、他部品と結合しても不具合が生じることはない。
補強リブの表面を、曲面状に設けた蓋体周縁部の下面より上方に位置するように設けたので、補強リブが外方から見えることなく、また、補強リブの表面がストッパーとして役立たせることもできるようになった。
【発明を実施するための最良の形態】
【０００８】
次に、本発明の蓋体等のボス部の実施形態について、図面をあげて説明する。
図１、２に示すように、本発明の蓋体は、板状の蓋体１と、該蓋体に配設されたボス部２とから構成されている。
【０００９】
蓋体１は、中央部を隆起させた湾曲面３とした円盤状の薄板４によって形成されており、周辺部５は下方に湾曲し、その下面は円形の外周縁６を有する水平面７となっている。
ボス部２は、蓋体１の裏面に、外周縁６に沿って一定距離内方に位置し、等間隔をおいて配設された中空状の複数の突出部８と、該突出部８の根元部から蓋体１裏面に沿って、放射状に延び、表面９ａを水平面とした補強リブ９とからなっている。
【００１０】
蓋体１の裏面と、突出部８、および補強リブ９との交差部は、円弧曲線１０によって接続されており、突出部８と補強リブ９の表面９ａとの交差部は、円弧曲線１１によって接続されている。
【００１１】
突出部８の上端は、蓋体１裏面より突出しており、補強リブ９の表面９ａは、周辺部５下面より上方に位置している。
突出部８の外周端部には、膨出部１２が設けられており、容器体に穿設された取付孔に係合されるようになっている。
【００１２】
次に、上記構成による作用効果について説明する。
ボス部２の突出部８と、補強リブ９と蓋体１の裏面を円弧曲線１０によって接続したので、成形時にひけが生じることはなく、しかも数個の補強リブ９により補強したので、ボス部２を衝撃等による破壊から守り、さらに突出部８の先端部に膨出部１２を付設し、容器体、その他部品との結合を容易にした。
【００１３】
また、蓋体１を、中央を隆起する湾曲面３とし、蓋体１の周辺部５下面より内側に補強リブ９を設けたので、化粧料容器の蓋体として、補強リブ９が邪魔になることなく容器体、その他物品と結合できるので、装飾用として最適なものである。
また、補強リブ９の表面９ａは水平面となっているので、容器体、その他物品と結合部との位置決めストッパーとして役立たせることができる。
【００１４】
前記実施形態では、蓋体の形状を円形としたが、蓋体の形状は、円形の他に、楕円形、角形であってもよく、また、特許文献１記載のように、横断面がＵ字形の立体的蓋体であってもよい。
【００１５】
また、ボス部２の突出部８の外周面をテーパー状としてもよく、さらにまた、ボス部２の突出部８に数個の切割りを設けてもよく（図示せず）、そのことにより蓋体等の容器体その他物品との結合をより一層容易とすることができる。
【産業上の利用可能性】
【００１６】
本発明のボス部は、突出部の根元を円弧曲線によって蓋体裏面に接続するとともに、複数個の補強リブを設けたことにより、ひけが生ぜず衝撃等による破壊から守れるので、容器本体、その他、他部品とセットする装飾体等として広く利用できる。
【図面の簡単な説明】
【００１７】
【図１】本発明の蓋体の説明図で、（ａ）は一部断面正面図、（ｂ）は下面図である。
【図２】ボス部の拡大図で、（ａ）は一部断面正面図、（ｂ）は下面図である。
【符号の説明】
【００１８】
１      蓋体
２      ボス部
３      湾曲面
４      薄板
５      周辺部
６      外周縁
７      水平面
８      突出部
９      補強リブ
９ａ    補強リブの表面
１０、１１  円弧曲線
１２    膨出部
【図１】
2007030970.tif 000003
【図２】
2007030970.tif 000004
(57)【要約】【課題】  従来の飲料水容器ボトルでは、キャップを外した時に手に持ったり回りに置いたりし、そのさいに落とすなど紛失してゴミになっていたり、ストローを外部から用いるさいにもストロー包装紙など数々ゴミになっていたので、分離ゴミを少なくし、その上容易に服用できる飲用水容器ボトルのストロー内蔵ダブルキャップの提供。【解決手段】  飲料水容器ボトルのキャップを上下二重構造として、下部キャップに円形状の突起を付けたストローをはめ込み、上部キャップが下部キャップにねじ込まれるようにし、そのさい上部キャップの上面中央部をストローが押し上げストローが露出する。なお、ストローの長さは上部キャップのストロー接点から飲料水容器ボトルの底部ストロー接点までの垂直距離とする。【選択図】  図１
2007030980.tif 000002
【特許請求の範囲】
【請求項１】
飲料水容器ボトルのキャップを上下二重構造にして、上部キャップの上面中央部にストローが押し上がって出てくるためにＣの文字状に溝を入れ、下部キャップの上面に円形状の穴を開けストローを備え付けるため、ストロー中間部の外周面に円形状の突起を設け、下部キャップの円形状の穴にストローの円形状突起をはめ込み、上部キャップをねじ込めて閉める事により、ストローが出てくる飲料水容器ボトルのストロー内蔵ダブルキャップ。
【発明の詳細な説明】
【技術分野】
【０００１】  本発明は、飲料水容器ボトルの中にストローを内蔵させるためのキャップに関する。
【背景技術】
【０００２】  従来の飲料水容器ボトルは、キャップを外してそのまま容器ボトルからか、外部からストローなどを用いて、服用していた。
【発明の開示】
【発明が解決しようとする課題】
【０００３】  以上に述べた飲料水容器ボトルでは、キャップを外した時に手に持ったり回りに置いたりし、そのさいに落とすなど紛失してゴミになっていたり、ストローを外部から用いるさいにもストロー包装紙など数々ゴミになっていた。【０００４】  本発明は、このような従来の構成が有していた問題を解決しようとするものであり、飲料水容器ボトルから何一つ分離せず、ストローを内蔵し誰もが容易に使えてゴミをなるべく出さないことを目的とするものである。
【課題を解決するための手段】
【０００５】  そして、本発明は上記目的を達成するために、飲料水容器ボトルのキャップを上下二重構造として下部キャップの上面中央部に円形状の穴を開け、ストローの中間部に円形状の突起を付けたストローをはめ込み、上部キャップが下部キャップにねじ込んださい上部キャップの上面の一部をストローが押し上げて、ストローを露出するものである。【０００６】  また、上部キャップは、ストローを出やすくするために上面中央部を、ストローの直径より大きめにとり円形状押し上げ部分とし、さらにその部分を押し上がる時、破れやすいように周りより薄く、アルファベットＣの文字のように一部分を残し溝を入れ、ストローが露出したさい上部キャップから離れず、なおストローを下部キャップにはめ込むさいストローを安定させるために、円形状押し上げ部分の外周と接する上部キャップ内面に円形状の突起を設け、ストローの一部が収まるものとし、さらに、その突起上部には、複数の穴を開け上部キャップが下部キャップにねじ込まれるさい、上部キャップの突起部分がストローの円形状の突起を押し下げる役割もはたし、押し下がって出来た飲料水容器ボトルとの空気通気口の役割をはたす。【０００７】  また、ストロー中間部の円形状の突起は、そのストロー接触部分が離れやすいように円形状に溝を入れ、なお下部キャップから上部キャップに飲料水が漏れないようにし、ストローの長さは上部キャップ押し上げ部分から飲料水容器ボトルの内面底部までの垂直距離とし、ストロー内部から飲料水が漏れないようにストローの先端を密着させるため上部キャップ押し上げ部分のストロー接触部分に丸い膨らみを付け密着させるものとする。
【発明の効果】
【０００８】  上述したように本発明の飲料水容器ボトルは、すべての部品が分離することなく一体化しているため、飲料水を服用し終わるまでゴミがでず、ストローが内蔵してあるため小さな子供からお年寄り、病気やけがなど寝たきりの人でも容易に服用できる。
【発明の実施するための最良の形態】
【０００９】  以下、本発明の実施の形態を図１に基づいて説明する。
【００１０】  図においては、１は上部キャップでその上面中央部がストロー３の円形状押し上げ部分１ａになっており、ストロー３の接触部分から飲料水が漏れないようにするため、丸い膨らみをもたせストロー３と密着し、円形状押し上げ部分１ａはアルファベットＣの文字のように一部分を残して溝を入れ、ストロー３が露出したさい円形状押し上げ部分１ａが上部キャップ１から離れない構造である。
【００１１】  ２は下部キャップで、その外周側面上部と上部キャップ１の内周側面下部とを等間隔で接点６を設け、上部キャップ１を捻ると上部キャップ１と下部キャップ２が離れ、上部キャップ１の内周側面が下部キャップ２の外周側面にねじ込まれる、下部キャップ２の内周側面は飲料水容器ボトルの外周側面上部にねじ込まれている。
【００１２】  また、ストロー３の中間部には円形状突起４を設け、下部キャップ２の上面にある円形状の穴に、円形状突起４をはめ込む、そのさい飲料水容器ボトルと下部キャップ２の中の飲料水が、上部キャップ１の内面部に出ないようにするため、円形状突起４の外周部に段差を設け密着部を増やすようにし、ストロー３と円形状突起４の接触部４ａは、圧力が加わると外れるように円形状に溝を設ける。
【００１３】  ５は上部キャップ１の内面部および円形状押し上げ部分１ａの外周部から円形状に飛び出した突起で、ストロー３を挟み込み安定させる、突起５の上部斜面５ａには空気通気口の穴を数箇所設け、下部斜面５ｂの先端でストロー３の中間部の円形状突起４を上部キャップ１が下部キャップ２にねじ込まれるさい、ストロー３と円形状突起４とを離れさせるものである。
【図面の簡単な説明】
【００１４】
【図１】    本発明の実施形態を示すストロー内蔵ダブルキャップの断面図
【符号の説明】
【００１５】  １    上部キャップ
１ａ  円形状押し上げ部分
２    下部キャップ
３    ストロー
４    円形状突起
４ａ  接触部
５    突起
５ａ  上部斜面
５ｂ  下部斜面
６    接点
【図１】
2007030980.tif 000003
(57)【要約】【課題】  空港で機内に荷積みする電子部品や精密機械部品、振動を嫌う製品などを搬送する時に振動により損傷を防止する緩衝装置付輸送台車を提供する。【解決手段】  車体フレーム（１）と車輪（２）との間に緩衝装置（３）を設けた構造である。【選択図】  図１
2007030858.tif 000002
【特許請求の範囲】
【請求項１】
車体フレーム（１）と車輪（２）との間に緩衝装置（３）を設けたことを特徴とする緩衝装置付輸送台車。
【発明の詳細な説明】
【技術分野】
【０００１】  本発明は、空港で航空機に荷物を積み込む為に運ぶ、輸送台車に関するものである。
【背景技術】
【０００２】  従来品の空港で使用している輸送台車は、荷物に振動が伝わる輸送台車であった。
【発明の開示】
【発明が解決しようとする課題】
【０００３】  従来のものは、次のような欠点があった。電子部品や精密機械部品、振動を嫌う製品等全ての動植物品やその他製品を輸送台車に乗せて運ぶと振動によって損傷を起こし、不良品となって損害補償が発生した。
本発明は、この様な欠点を改善する為になされたものである。
【課題を解決するための手段】
【０００４】  車体フレーム（１）と車輪（２）との間に緩衝装置（３）を設けた構造である。
【発明の効果】
【０００５】  発明の効果としては、振動防止が図られた為に電子部品や精密機械部品その他振動を嫌う全ての動植物品やその他製品の損傷がなくなり、損害賠償が消滅し、経費節減効果がある。
【発明を実施するための最良の形態】
【０００６】  以下に本発明の実施形態を説明する。長方形の枠組みをした車体フレーム（１）と四つの車輪（２）との間に、車輪（２）の夫々に空気バネ式、空油圧式シリンダー及び巻バネ式等の緩衝装置（３）を設ける。
緩衝装置（３）に空気ばね式や空油圧式シリンダーを使用した場合は、回転テーブル台（４）へのコンテナ（５）の搭載や降載時、高さのレベル調整や輸送台車の走行中に車高の上昇を容易に可能とする為、コンプレッサー（６）や減圧弁（レギュレーター）（７）、排出弁（８）などを設置した構造である。
本発明を使用する時は、緩衝装置付輸送台車に設けたコンプレッサー（６）を作動する。
そして電子部品や精密機械部品等を格納したコンテナ（５）の搭載や降載時、排出弁（８）の操作により、空気バネ等の空気圧力を開放して回転テーブル台（４）を規定の高さに下げ、相手側台（９）のレベルに合わせる。
走行する時は、減圧弁の規定値により空気バネ内に空気が入り、回転テーブル台（４）が上昇（４’）し、コンテナ（５）も同時に上昇（５’）する。尚、巻バネ式緩衝装置（３）は、振動を吸収するのみで回転テーブル台（４）の高さ調整はできない。
以上の使用法によりコンテナを載せて運べば振動が少なく、良好に運搬できる。
又、他の実施例（図２）として、緩衝装置（３）が同位置である板バネ式の緩衝装置（３）を設置するものである。
尚、応用例（図３）としては、車体フレーム（１）と回転テーブル台（４）との間に空気バネ式、空油圧式シリンダー及び巻バネ式等の緩衝装置（３）の設置位置を変更したものであるが、車体高さ調整をする機能は前記（図１）と同じである。
【図面の簡単な説明】
【０００７】
【図１】  本発明の緩衝装置取付輸送台車説明図
【図２】  本発明の他の実施例を示す図（板バネ式緩衝装置）
【図３】  本発明の応用例（車体フレームと回転テーブル台の間に緩衝装置（空気バネ式、空油圧式シリンダー、巻バネ式）を取付けた説明図
【図４】  本発明の使用状態図
【符号の説明】
【０００８】        １    車体フレーム
２    車輪
３    緩衝装置
４    回転テーブル台
４’  上昇した回転テーブル台
５    コンテナ
５’  上昇したコンテナ
６    コンプレッサー
７    減圧弁（レギュレーター）
８    排出弁
９    相手側台
【図１】
2007030858.tif 000003
【図２】
2007030858.tif 000004
【図３】
2007030858.tif 000005
【図４】
2007030858.tif 000006
(57)【要約】      （修正有）【課題】  従来のショッピングカートは、店舗側が用意したものを使用するのが一般的だが、これをコンパクトにたためる顧客所有のショッピングカートにすることにより、自家用車に直接積み込む事ができる便利なショッピングカートを提供する。【解決手段】  伸縮可能な支柱１を伸ばしてショッピングカートとして使用可能な状態とし、これをたたむとコンパクトになることを特徴とする。【選択図】  図１
2007030856.tif 000002
【特許請求の範囲】
【請求項１】
支柱１を伸縮可能にしたコンパクトにたためるショッピングカート
【発明の詳細な説明】
【発明の詳細な説明】
この発明は支柱を伸縮可能にすることで、コンパクトにたためるようにしたショッピングカートである。
従来のショッピングカートは、店舗側が用意したものを使用するのが一般的だが、買い物の精算後は買ったものをショッピングカートに乗せないでレジ袋を抱えて店舗を出るか、自家用車までショッピングカートで運び買ったものを車に乗せ変えた後、ショッピングカートを店舗の指定した場所まで返却しなければならなかった。
本発明は、この欠点を除くために発明されたもので、顧客側が自前のショッピングカートを店舗に持ち込むという考え方から発明されたものである。
図２は、本発明のたたんだ状態であり、足踏み板４を足で踏みながら最上部を引き上げると、伸縮可能な支柱１が伸びて図３の支柱１の断面図のように、固定ピン３が突出する穴まで来るとバネ６に押されて固定ピン３が飛び出し図１のように支柱１が伸びた状態で固定し使用可能状態となる。
たたむ時は、固定解除レバー２をにぎると固定解除ワイヤー５が引っ張られて、固定ピン３につながっている先端が固定ピン３を引っ張るため支柱１がたためる状態となる。
このため、買い物をしたものをかごの部分に入れたままの状態でたためるので自家用車に乗せるのに都合がよい。
【図面の簡単な説明】
【図１】  本発明の使用可能な状態の図面である
【図２】  本発明のたたんだ状態の図面である
【図３】  伸縮支柱の断面図である
【符号の説明】
１は伸縮支柱  ２は固定解除レバー  ３は固定ピン  ４は足踏み板
５は固定解除ワイヤー  ６は固定ピン押し出しバネ
【図１】
2007030856.tif 000003
【図２】
2007030856.tif 000004
【図３】
2007030856.tif 000005